(57)【要約】      （修正有）【課題】シート状部材の表面側を残して切断されて折り曲げ自在にできるというシート状部材の構造特性を利用して形成することができる坐椅子を提供するものである。【解決手段】坐椅子Ｚは、第１の貫通孔１ａと第２の貫通孔１ｂとを有する座部１と、第３の貫通孔２ａと第４の貫通孔２ｂとを有する背もたれ部２と、座部１と背もたれ部２は、シート状部材で形成され、座部１と背もたれ部２とは、前記シート状部材の表面側をを残して切断されて折り曲げ自在な部位１００を介して接続され、第１の貫通孔１ａ、第２の貫通孔１ｂ、第３の貫通孔２ａ、第４の貫通孔２ｂを通る環状体３で座部１と背もたれ部２とのなす角度が規制されているものである。【選択図】図１
2011005154.tif 000002
【特許請求の範囲】
【請求項１】
第１の貫通孔と第２の貫通孔とを有する略四角形状の座部と、
第３の貫通孔と第４の貫通孔とを有する略四角形状の背もたれ部と、
前記座部と前記背もたれ部は、シート状部材で形成され、前記座部と前記背もたれ部とは、前記シート状部材の表面側を残して切断されて折り曲げ自在な部位を介して接続され、
前記折り曲げ自在な部位は直線状に形成され、この直線状に形成された前記折り曲げ自在な部位に略平行な前記座部の端部は座端部であり、前記折り曲げ自在な部位に略平行な前記背もたれ部の端部は背もたれ端部であり、
前記座端部を前側にして前記座部に座って、前記背もたれ部に当接した人の左側に位置する前記座部の端部は座左端部であり、前記背もたれ部の端部は背もたれ左端部であり、前記人の右側に位置する前記座部の端部は座右端部であり、前記背もたれ部の端部は背もたれ右端部であり、
前記第１の貫通孔は、前記座右端部より前記座左端部に近い側であって前記前記折り曲げ自在な部位より前記座端部に近い側にあり、
前記第２の貫通孔は、前記座左端部より前記座右端部に近い側であって前記前記折り曲げ自在な部位より前記座端部に近い側にあり、
前記第３の貫通孔は、前記背もたれ左端部より前記背もたれ右端部に近い側であって前記折り曲げ自在な部位より前記背もたれ端部に近い側にあり、
前記第４の貫通孔は、前記背もたれ右端部より前記背もたれ左端部に近い側であって前記折り曲げ自在な部位より前記背もたれ端部に近い側にあり、
長手状部材が前記第１の貫通孔、前記第２の貫通孔、前記第３の貫通孔、前記第４の貫通孔を通ると共に、前記第１の貫通孔と前記第２の貫通孔の間に位置する前記長手状部材は前記座部の裏面側に、前記第３の貫通孔と前記第４の貫通孔の間に位置する前記長手状部材は前記背もたれ部の裏面側に、それぞれ位置するように環状に形成された環状体と、
この環状体は、前記座部と前記背もたれ部とのなす角度が広がらないように規制するものである
ことを特徴とする坐椅子。  
【請求項２】
第１の貫通孔と第２の貫通孔とを有する略四角形状の座部と、
第３の貫通孔と第４の貫通孔とを有する略四角形状の背もたれ部と、
前記座部と前記背もたれ部は、シート状部材で形成され、前記座部と前記背もたれ部とは、前記シート状部材の表面側を残して切断されて折り曲げ自在な部位を介して接続され、
前記折り曲げ自在な部位は直線状に形成され、この直線状に形成された前記折り曲げ自在な部位に略平行な前記座部の端部は座端部であり、前記折り曲げ自在な部位に略平行な前記背もたれ部の端部は背もたれ端部であり、
前記座端部を前側にして前記座部に座って、前記背もたれ部に当接した人の左側に位置する前記座部の端部は座左端部であり、前記背もたれ部の端部は背もたれ左端部であり、前記人の右側に位置する前記座部の端部は座右端部であり、前記背もたれ部の端部は背もたれ右端部であり、
前記第１の貫通孔は、前記座右端部より前記座左端部に近い側であって前記折り曲げ自在な部位より前記座端部に近い側にあり、
前記第２の貫通孔は、前記座左端部より前記座右端部に近い側であって前記折り曲げ自在な部位より前記座端部に近い側にあり、
前記第３の貫通孔は、前記背もたれ左端部より前記背もたれ右端部に近い側であって前記折り曲げ自在な部位より前記背もたれ端部に近い側にあり、
前記第４の貫通孔は、前記背もたれ右端部より前記背もたれ左端部に近い側であって前前記折り曲げ自在な部位より前記背もたれ端部に近い側にあり、
前記第１の貫通孔と前記第４の貫通孔を通って、一方の端部が前記座部の裏面側に、他方の端部が前記背もたれ部の裏面側に、それぞれ位置する第１の長手状部材と、
この第１の長手状部材の一端を前記座部の裏面側に固定又は、前記第１の長手状部材の一端にストッパーを設けて、前記第１の長手状部材の一端が前記第１の貫通孔から抜けでないようにした第１の抜け防止手段と、
前記第１の長手状部材の他端を前記背もたれ部の裏面側に固定又は、前記第１の長手状部材の他端にストッパーを設けて、前記第１の長手状部材の他端が前記第４の貫通孔から抜けでないようにした第２の抜け防止手段と、
前記第２の貫通孔と前記第３の貫通孔を通って、一方の端部が前記座部の裏面側に、他方の端部が前記背もたれ部の裏面側に、それぞれ位置する第２の長手状部材と、
この第２の長手状部材の一端を前記座部の裏面側に固定又は、前記第２の長手状部材の一端にストッパーを設けて、前記第２の長手状部材の一端が前記第２の貫通孔から抜けでないようにした第３の抜け防止手段と、
前記第２の長手状部材の他端を前記背もたれ部の裏面側に固定又は、前記第２の長手状部材の他端にストッパーを設けて、前記第２の長手状部材の他端が前記第３の貫通孔から抜けでないようにした第４の抜け防止手段とを設け、
前記第１の長手状部材及び前記第２の長手状部材は前記座部と前記背もたれ部とのなす角度が広がらないように規制するものである
ことを特徴とする坐椅子。  
【請求項３】
第１の貫通孔と第２の貫通孔とを有する略四角形状の座部と、
第３の貫通孔と第４の貫通孔とを有する略四角形状の背もたれ部と、
前記座部と前記背もたれ部は、シート状部材で形成され、前記座部と前記背もたれ部とは、前記シート状部材の表面側を残して切断されて折り曲げ自在な部位を介して接続され、
前記折り曲げ自在な部位は直線状に形成され、この直線状に形成された前記折り曲げ自在な部位に略平行な前記座部の端部は座端部であり、前記折り曲げ自在な部位に略平行な前記背もたれ部の端部は背もたれ端部であり、
前記座端部を前側にして前記座部に座って、前記背もたれ部に当接した人の左側に位置する前記座部の端部は座左端部であり、前記背もたれ部の端部は背もたれ左端部であり、前記人の右側に位置する前記座部の端部は座右端部であり、前記背もたれ部の端部は背もたれ右端部であり、
前記第１の貫通孔は、前記座右端部より前記座左端部に近い側であって前記折り曲げ自在な部位より前記座端部に近い側にあり、
前記第２の貫通孔は、前記座左端部より前記座右端部に近い側であって前記折り曲げ自在な部位より前記座端部に近い側にあり、
前記第３の貫通孔は、前記背もたれ左端部より前記背もたれ右端部に近い側であって前記折り曲げ自在な部位より前記背もたれ端部に近い側にあり、
前記第４の貫通孔は、前記背もたれ右端部より前記背もたれ左端部に近い側であって前記折り曲げ自在な部位より前記背もたれ端部に近い側にあり、
前記第１の貫通孔、前記第４の貫通孔、前記第３の貫通孔、前記第２の貫通孔を通って、一方の端部が前記第１の貫通孔より前記座部の裏面側に、他方の端部が前記第２の貫通孔より前記座部の裏面側に、それぞれ位置する長手状部材と、
この長手状部材の一方の端部を前記座部の裏面側に固定又は、前記長手状部材の一方の端部にストッパーを設けて、前記長手状部材の一方の端部が前記第１の貫通孔から抜けでないようにした第１の抜け防止手段と、
前記長手状部材の他方の端部を前記座部の裏面側に固定又は、前記長手状部材の他方の端部にストッパーを設けて、前記長手状部材の他方の端部が前記第２の貫通孔から抜けでないようにした第２の抜け防止手段と、
前記長手状部材は前記座部と前記背もたれ部とのなす角度が広がらないように規制するものである
ことを特徴とする坐椅子。  
【請求項４】
人が横臥できる大きさの矩形形状であって、第１の貫通孔と第２の貫通孔とを有するベッド本体と、
第３の貫通孔と第４の貫通孔とを有する略四角形状の背もたれ部と、
前記ベッド本体と前記背もたれ部は、シート状部材で形成され、前記ベッド本体と前記背もたれ部とは、前記シート状部材の表面側を残して切断されて折り曲げ自在な部位を介して接続され、
前記折り曲げ自在な部位は直線状に形成され、この直線状に形成された前記折り曲げ自在な部位に略平行な前記ベッド本体の端部はベッド本体端部であり、前記折り曲げ自在な部位に略平行な前記背もたれ部の端部は背もたれ端部であり、
前記ベッド本体端部を前側にして前記ベッド本体に座って、前記背もたれ部に当接した人の左側に位置する前記ベッド本体の端部はベッド本体左端部であり、前記背もたれ部の端部は背もたれ左端部であり、前記人の右側に位置する前記ベッド本体の端部はベッド本体右端部であり、前記背もたれ部の端部は背もたれ右端部であり、
前記第１の貫通孔は、前記ベッド本体右端部より前記ベッド本体左端部に近い側であって前記ベッド本体端部より前記折り曲げ自在な部位に近い側にあり、
前記第２の貫通孔は、前記ベッド本体左端部より前記ベッド本体右端部に近い側であって前記ベッド本体端部より前記折り曲げ自在な部位に近い側にあり、
前記第３の貫通孔は、前記背もたれ左端部より前記背もたれ右端部に近い側であって前記折り曲げ自在な部位より前記背もたれ端部に近い側にあり、
前記第４の貫通孔は、前記背もたれ右端部より前記背もたれ左端部に近い側であって前記折り曲げ自在な部位より前記背もたれ端部に近い側にあり、
長手状部材が前記第１の貫通孔、前記第２の貫通孔、前記第３の貫通孔、前記第４の貫通孔を通ると共に、前記第１の貫通孔と前記第２の貫通孔の間に位置する前記長手状部材は前記ベッド本体の裏面側に、前記第３の貫通孔と前記第４の貫通孔の間に位置する前記長手状部材は前記背もたれ部の裏面側に、それぞれ位置するように環状に形成された環状体と、
この環状体は、前記ベッド本体と前記背もたれ部とのなす角度が広がらないように規制するものである
ことを特徴とする背もたれ付き簡易ベッド。  
【請求項５】
人が横臥できる大きさの矩形形状であって、第１の貫通孔と第２の貫通孔とを有するベッド本体と、
第３の貫通孔と第４の貫通孔とを有する略四角形状の背もたれ部と、
前記ベッド本体と前記背もたれ部は、シート状部材で形成され、前記ベッド本体と前記背もたれ部とは、前記シート状部材の表面側を残して切断されて折り曲げ自在な部位を介して接続され、
前記折り曲げ自在な部位は直線状に形成され、この直線状に形成された前記折り曲げ自在な部位に略平行な前記ベッド本体の端部はベッド本体端部であり、前記折り曲げ自在な部位に略平行な前記背もたれ部の端部は背もたれ端部であり、
前記ベッド本体端部を前側にして前記ベッド本体に座って、前記背もたれ部に当接した人の左側に位置する前記ベッド本体の端部はベッド本体左端部であり、前記背もたれ部の端部は背もたれ左端部であり、前記人の右側に位置する前記ベッド本体の端部はベッド本体右端部であり、前記背もたれ部の端部は背もたれ右端部であり、
前記第１の貫通孔は、前記ベッド本体右端部より前記ベッド本体左端部に近い側であって前記ベッド本体端部より前記折り曲げ自在な部位に近い側にあり、
前記第２の貫通孔は、前記ベッド本体左端部より前記ベッド本体右端部に近い側であって前記ベッド本体端部より前記折り曲げ自在な部位に近い側にあり、
前記第３の貫通孔は、前記背もたれ左端部より前記背もたれ右端部に近い側であって前記折り曲げ自在な部位より前記背もたれ端部に近い側にあり、
前記第４の貫通孔は、前記背もたれ右端部より前記背もたれ左端部に近い側であって前記折り曲げ自在な部位より前記背もたれ端部に近い側にあり、
前記第１の貫通孔と前記第４の貫通孔を通って、一方の端部が前記ベッド本体の裏面側に、他方の端部が前記背もたれ部の裏面側に、それぞれ位置する第１の長手状部材と、
この第１の長手状部材の一端を前記ベッド本体の裏面側に固定又は、前記第１の長手状部材の一端にストッパーを設けて、前記第１の長手状部材の一端が前記第１の貫通孔から抜けでないようにした第１の抜け防止手段と、
前記第１の長手状部材の他端を前記背もたれ部の裏面側に固定又は、前記第１の長手状部材の他端にストッパーを設けて、前記第１の長手状部材の他端が前記第４の貫通孔から抜けでないようにした第２の抜け防止手段と、
前記第２の貫通孔と前記第３の貫通孔を通って、一方の端部が前記ベッド本体の裏面側に、他方の端部が前記背もたれ部の裏面側に、それぞれ位置する第２の長手状部材と、
この第２の長手状部材の一端を前記ベッド本体の裏面側に固定又は、前記第２の長手状部材の一端にストッパーを設けて、前記第２の長手状部材の一端が前記第２の貫通孔から抜けでないようにした第３の抜け防止手段と、
前記第２の長手状部材の他端を前記背もたれ部の裏面側に固定又は、前記第２の長手状部材の他端にストッパーを設けて、前記第２の長手状部材の他端が前記第３の貫通孔から抜けでないようにした第４の抜け防止手段とを設け、
前記第１の長手状部材及び前記第２の長手状部材は前記ベッド本体と前記背もたれ部とのなす角度が広がらないように規制するものである
ことを特徴とする背もたれ付き簡易ベッド。  
【請求項６】
人が横臥できる大きさの矩形形状であって、第１の貫通孔と第２の貫通孔とを有するベッド本体と、
第３の貫通孔と第４の貫通孔とを有する略四角形状の背もたれ部と、
前記ベッド本体と前記背もたれ部は、シート状部材で形成され、前記ベッド本体と前記背もたれ部とは、前記シート状部材の表面側を残して切断されて折り曲げ自在な部位を介して接続され、
前記折り曲げ自在な部位は直線状に形成され、この直線状に形成された前記折り曲げ自在な部位に略平行な前記ベッド本体の端部はベッド本体端部であり、前記折り曲げ自在な部位に略平行な前記背もたれ部の端部は背もたれ端部であり、
前記ベッド本体端部を前側にして前記ベッド本体に座って、前記背もたれ部に当接した人の左側に位置する前記ベッド本体の端部はベッド本体左端部であり、前記背もたれ部の端部は背もたれ左端部であり、前記人の右側に位置する前記ベッド本体の端部はベッド本体右端部であり、前記背もたれ部の端部は背もたれ右端部であり、
前記第１の貫通孔は、前記ベッド本体右端部より前記ベッド本体左端部に近い側であって前記ベッド本体端部より前記折り曲げ自在な部位に近い側にあり、
前記第２の貫通孔は、前記ベッド本体左端部より前記ベッド本体右端部に近い側であって前記ベッド本体端部より前記折り曲げ自在な部位に近い側にあり、
前記第３の貫通孔は、前記背もたれ左端部より前記背もたれ右端部に近い側であって前記折り曲げ自在な部位より前記背もたれ端部に近い側にあり、
前記第４の貫通孔は、前記背もたれ右端部より前記背もたれ左端部に近い側であって前記折り曲げ自在な部位より前記背もたれ端部に近い側にあり、
前記第１の貫通孔、前記第４の貫通孔、前記第３の貫通孔、前記第２の貫通孔を通って、    一方の端部が前記第１の貫通孔より前記ベッド本体の裏面側に、他方の端部が前記第２の貫通孔より前記ベッド本体の裏面側に、それぞれ位置する長手状部材と、
この長手状部材の一方の端部を前記ベッド本体の裏面側に固定又は、前記長手状部材の一方の端部にストッパーを設けて、前記長手状部材の一方の端部が前記第１の貫通孔から抜けでないようにした第１の抜け防止手段と、
前記長手状部材の他方の端部を前記ベッド本体の裏面側に固定又は、前記長手状部材の他方の端部にストッパーを設けて、前記長手状部材の他方の端部が前記第２の貫通孔から抜けでないようにした第２の抜け防止手段と、
前記長手状部材は前記ベッド本体と前記背もたれ部とのなす角度が広がらないように規制するものである
ことを特徴とする背もたれ付き簡易ベッド。  
【請求項７】
ベッド本体の一方の短辺の外側に位置し、前記ベッド本体の一方の短辺に沿うと共に、立設する第１の面と、前記ベッド本体の一方の長辺の外側に位置し、前記第１の面の一方の側から前記ベッド本体の一方の長辺に向かうと共に、立設する第２の面と、前記ベッド本体の他方の長辺の外側に位置し、前記第１の面の他方の側から前記ベッド本体の他方の長辺に向かうと共に、立設する第３の面とを有した覆い部材と、
前記第２の面の下部には、前記ベッド本体に向かって折り曲げられた第２の面の折り曲げ部が、
前記第３の面の下部には、前記ベッド本体に向かって折り曲げられた第３の面の折り曲げ部が、
それぞれ形成され、
前記ベッド本体の下に、前記第２の面の折り曲げ部と前記第３の面の折り曲げ部がそれぞれ位置している
ことを特徴とする請求項４〜６のいずれかの背もたれ付き簡易ベッド。
【発明の詳細な説明】
【技術分野】
【０００１】
本発明は、坐椅子及び背もたれ付き簡易ベッドに係り、特に、シート状部材の表面側を残して切断されて折り曲げ自在にできるというシート状部材の構造特性を利用して形成することができる坐椅子及び背もたれ付き簡易ベッドに関する。
【背景技術】
【０００２】
従来、携帯のときコンパクトになり、現地で簡単に組立てることのできる段ボール製座椅子がある（例えば、特許文献１参照）。
これは、段ボールで作った上板（１）と下板（２）とをその上端部で接着し、上板（１）には折線（１ａ）に沿って上板打抜き刃（１ｂ）を設け、下板（２）には折線（２ａ）の前方に上板打抜き刃（１ｂ）を挿入するための穴（２ｈ１），（２ｈ２）が穿けられている。
この記載のものは、不使用時、折りたたんむことができ、携帯に便利なようになっている。
【先行技術文献】
【特許文献】
【０００３】
【特許文献１】実開平６−２４５５５号公報
【発明の概要】
【発明が解決しようとする課題】
【０００４】
しかしながら、上述の段ボール製座椅子にあっては、上板（１）の他に、別途、下板（２）も必要で、しかも、荷重が上板打抜き刃（１ｂ）と穴（２ｈ１），（２ｈ２）の周縁部に集中するため、該集中する部位を部分的に補強するか、又は、全体的に強度が強い上板（１）、下板（２）が必要となり、コスト高にもなるという問題点があった。
【０００５】
本発明は、上記の問題点を除去するようにした坐椅子及び背もたれ付き簡易ベッドを提供することを目的とする。
【課題を解決するための手段】
【０００６】
請求項１記載の坐椅子は、第１の貫通孔と第２の貫通孔とを有する略四角形状の座部と、第３の貫通孔と第４の貫通孔とを有する略四角形状の背もたれ部と、前記座部と前記背もたれ部は、シート状部材で形成され、前記座部と前記背もたれ部とは、前記シート状部材の表面側を残して切断されて折り曲げ自在な部位を介して接続され、前記折り曲げ自在な部位は直線状に形成され、この直線状に形成された前記折り曲げ自在な部位に略平行な前記座部の端部は座端部であり、前記折り曲げ自在な部位に略平行な前記背もたれ部の端部は背もたれ端部であり、前記座端部を前側にして前記座部に座って、前記背もたれ部に当接した人の左側に位置する前記座部の端部は座左端部であり、前記背もたれ部の端部は背もたれ左端部であり、前記人の右側に位置する前記座部の端部は座右端部であり、前記背もたれ部の端部は背もたれ右端部であり、前記第１の貫通孔は、前記座右端部より前記座左端部に近い側であって前記前記折り曲げ自在な部位より前記座端部に近い側にあり、前記第２の貫通孔は、前記座左端部より前記座右端部に近い側であって前記前記折り曲げ自在な部位より前記座端部に近い側にあり、前記第３の貫通孔は、前記背もたれ左端部より前記背もたれ右端部に近い側であって前記折り曲げ自在な部位より前記背もたれ端部に近い側にあり、前記第４の貫通孔は、前記背もたれ右端部より前記背もたれ左端部に近い側であって前記折り曲げ自在な部位より前記背もたれ端部に近い側にあり、長手状部材が前記第１の貫通孔、前記第２の貫通孔、前記第３の貫通孔、前記第４の貫通孔を通ると共に、前記第１の貫通孔と前記第２の貫通孔の間に位置する前記長手状部材は前記座部の裏面側に、前記第３の貫通孔と前記第４の貫通孔の間に位置する前記長手状部材は前記背もたれ部の裏面側に、それぞれ位置するように環状に形成された環状体と、この環状体は、前記座部と前記背もたれ部とのなす角度が広がらないように規制するものである。
【０００７】
また、請求項２記載の坐椅子は、第１の貫通孔と第２の貫通孔とを有する略四角形状の座部と、第３の貫通孔と第４の貫通孔とを有する略四角形状の背もたれ部と、前記座部と前記背もたれ部は、シート状部材で形成され、前記座部と前記背もたれ部とは、前記シート状部材の表面側を残して切断されて折り曲げ自在な部位を介して接続され、前記折り曲げ自在な部位は直線状に形成され、この直線状に形成された前記折り曲げ自在な部位に略平行な前記座部の端部は座端部であり、前記折り曲げ自在な部位に略平行な前記背もたれ部の端部は背もたれ端部であり、前記座端部を前側にして前記座部に座って、前記背もたれ部に当接した人の左側に位置する前記座部の端部は座左端部であり、前記背もたれ部の端部は背もたれ左端部であり、前記人の右側に位置する前記座部の端部は座右端部であり、前記背もたれ部の端部は背もたれ右端部であり、前記第１の貫通孔は、前記座右端部より前記座左端部に近い側であって前記折り曲げ自在な部位より前記座端部に近い側にあり、前記第２の貫通孔は、前記座左端部より前記座右端部に近い側であって前記折り曲げ自在な部位より前記座端部に近い側にあり、前記第３の貫通孔は、前記背もたれ左端部より前記背もたれ右端部に近い側であって前記折り曲げ自在な部位より前記背もたれ端部に近い側にあり、前記第４の貫通孔は、前記背もたれ右端部より前記背もたれ左端部に近い側であって前前記折り曲げ自在な部位より前記背もたれ端部に近い側にあり、前記第１の貫通孔と前記第４の貫通孔を通って、一方の端部が前記座部の裏面側に、他方の端部が前記背もたれ部の裏面側に、それぞれ位置する第１の長手状部材と、この第１の長手状部材の一端を前記座部の裏面側に固定又は、前記第１の長手状部材の一端にストッパーを設けて、前記第１の長手状部材の一端が前記第１の貫通孔から抜けでないようにした第１の抜け防止手段と、前記第１の長手状部材の他端を前記背もたれ部の裏面側に固定又は、前記第１の長手状部材の他端にストッパーを設けて、前記第１の長手状部材の他端が前記第４の貫通孔から抜けでないようにした第２の抜け防止手段と、前記第２の貫通孔と前記第３の貫通孔を通って、一方の端部が前記座部の裏面側に、他方の端部が前記背もたれ部の裏面側に、それぞれ位置する第２の長手状部材と、この第２の長手状部材の一端を前記座部の裏面側に固定又は、前記第２の長手状部材の一端にストッパーを設けて、前記第２の長手状部材の一端が前記第２の貫通孔から抜けでないようにした第３の抜け防止手段と、前記第２の長手状部材の他端を前記背もたれ部の裏面側に固定又は、前記第２の長手状部材の他端にストッパーを設けて、前記第２の長手状部材の他端が前記第３の貫通孔から抜けでないようにした第４の抜け防止手段とを設け、前記第１の長手状部材及び前記第２の長手状部材は前記座部と前記背もたれ部とのなす角度が広がらないように規制するものである。
【０００８】
また、請求項３記載の坐椅子は、第１の貫通孔と第２の貫通孔とを有する略四角形状の座部と、第３の貫通孔と第４の貫通孔とを有する略四角形状の背もたれ部と、前記座部と前記背もたれ部は、シート状部材で形成され、前記座部と前記背もたれ部とは、前記シート状部材の表面側を残して切断されて折り曲げ自在な部位を介して接続され、前記折り曲げ自在な部位は直線状に形成され、この直線状に形成された前記折り曲げ自在な部位に略平行な前記座部の端部は座端部であり、前記折り曲げ自在な部位に略平行な前記背もたれ部の端部は背もたれ端部であり、前記座端部を前側にして前記座部に座って、前記背もたれ部に当接した人の左側に位置する前記座部の端部は座左端部であり、前記背もたれ部の端部は背もたれ左端部であり、前記人の右側に位置する前記座部の端部は座右端部であり、前記背もたれ部の端部は背もたれ右端部であり、前記第１の貫通孔は、前記座右端部より前記座左端部に近い側であって前記折り曲げ自在な部位より前記座端部に近い側にあり、前記第２の貫通孔は、前記座左端部より前記座右端部に近い側であって前記折り曲げ自在な部位より前記座端部に近い側にあり、前記第３の貫通孔は、前記背もたれ左端部より前記背もたれ右端部に近い側であって前記折り曲げ自在な部位より前記背もたれ端部に近い側にあり、前記第４の貫通孔は、前記背もたれ右端部より前記背もたれ左端部に近い側であって前記折り曲げ自在な部位より前記背もたれ端部に近い側にあり、前記第１の貫通孔、前記第４の貫通孔、前記第３の貫通孔、前記第２の貫通孔を通って、一方の端部が前記第１の貫通孔より前記座部の裏面側に、他方の端部が前記第２の貫通孔より前記座部の裏面側に、それぞれ位置する長手状部材と、この長手状部材の一方の端部を前記座部の裏面側に固定又は、前記長手状部材の一方の端部にストッパーを設けて、前記長手状部材の一方の端部が前記第１の貫通孔から抜けでないようにした第１の抜け防止手段と、前記長手状部材の他方の端部を前記座部の裏面側に固定又は、前記長手状部材の他方の端部にストッパーを設けて、前記長手状部材の他方の端部が前記第２の貫通孔から抜けでないようにした第２の抜け防止手段と、前記長手状部材は前記座部と前記背もたれ部とのなす角度が広がらないように規制するものである。
【０００９】
また、請求項４記載の背もたれ付き簡易ベッドは、人が横臥できる大きさの矩形形状であって、第１の貫通孔と第２の貫通孔とを有するベッド本体と、第３の貫通孔と第４の貫通孔とを有する略四角形状の背もたれ部と、前記ベッド本体と前記背もたれ部は、シート状部材で形成され、前記ベッド本体と前記背もたれ部とは、前記シート状部材の表面側を残して切断されて折り曲げ自在な部位を介して接続され、前記折り曲げ自在な部位は直線状に形成され、この直線状に形成された前記折り曲げ自在な部位に略平行な前記ベッド本体の端部はベッド本体端部であり、前記折り曲げ自在な部位に略平行な前記背もたれ部の端部は背もたれ端部であり、前記ベッド本体端部を前側にして前記ベッド本体に座って、前記背もたれ部に当接した人の左側に位置する前記ベッド本体の端部はベッド本体左端部であり、前記背もたれ部の端部は背もたれ左端部であり、前記人の右側に位置する前記ベッド本体の端部はベッド本体右端部であり、前記背もたれ部の端部は背もたれ右端部であり、前記第１の貫通孔は、前記ベッド本体右端部より前記ベッド本体左端部に近い側であって前記ベッド本体端部より前記折り曲げ自在な部位に近い側にあり、前記第２の貫通孔は、前記ベッド本体左端部より前記ベッド本体右端部に近い側であって前記ベッド本体端部より前記折り曲げ自在な部位に近い側にあり、前記第３の貫通孔は、前記背もたれ左端部より前記背もたれ右端部に近い側であって前記折り曲げ自在な部位より前記背もたれ端部に近い側にあり、前記第４の貫通孔は、前記背もたれ右端部より前記背もたれ左端部に近い側であって前記折り曲げ自在な部位より前記背もたれ端部に近い側にあり、長手状部材が前記第１の貫通孔、前記第２の貫通孔、前記第３の貫通孔、前記第４の貫通孔を通ると共に、前記第１の貫通孔と前記第２の貫通孔の間に位置する前記長手状部材は前記ベッド本体の裏面側に、前記第３の貫通孔と前記第４の貫通孔の間に位置する前記長手状部材は前記背もたれ部の裏面側に、それぞれ位置するように環状に形成された環状体と、この環状体は、前記ベッド本体と前記背もたれ部とのなす角度が広がらないように規制するものである。
【００１０】
また、請求項５記載の背もたれ付き簡易ベッドは、人が横臥できる大きさの矩形形状であって、第１の貫通孔と第２の貫通孔とを有するベッド本体と、第３の貫通孔と第４の貫通孔とを有する略四角形状の背もたれ部と、前記ベッド本体と前記背もたれ部は、シート状部材で形成され、前記ベッド本体と前記背もたれ部とは、前記シート状部材の表面側を残して切断されて折り曲げ自在な部位を介して接続され、前記折り曲げ自在な部位は直線状に形成され、この直線状に形成された前記折り曲げ自在な部位に略平行な前記ベッド本体の端部はベッド本体端部であり、前記折り曲げ自在な部位に略平行な前記背もたれ部の端部は背もたれ端部であり、前記ベッド本体端部を前側にして前記ベッド本体に座って、前記背もたれ部に当接した人の左側に位置する前記ベッド本体の端部はベッド本体左端部であり、前記背もたれ部の端部は背もたれ左端部であり、前記人の右側に位置する前記ベッド本体の端部はベッド本体右端部であり、前記背もたれ部の端部は背もたれ右端部であり、前記第１の貫通孔は、前記ベッド本体右端部より前記ベッド本体左端部に近い側であって前記ベッド本体端部より前記折り曲げ自在な部位に近い側にあり、前記第２の貫通孔は、前記ベッド本体左端部より前記ベッド本体右端部に近い側であって前記ベッド本体端部より前記折り曲げ自在な部位に近い側にあり、前記第３の貫通孔は、前記背もたれ左端部より前記背もたれ右端部に近い側であって前記折り曲げ自在な部位より前記背もたれ端部に近い側にあり、前記第４の貫通孔は、前記背もたれ右端部より前記背もたれ左端部に近い側であって前記折り曲げ自在な部位より前記背もたれ端部に近い側にあり、前記第１の貫通孔と前記第４の貫通孔を通って、一方の端部が前記ベッド本体の裏面側に、他方の端部が前記背もたれ部の裏面側に、それぞれ位置する第１の長手状部材と、この第１の長手状部材の一端を前記ベッド本体の裏面側に固定又は、前記第１の長手状部材の一端にストッパーを設けて、前記第１の長手状部材の一端が前記第１の貫通孔から抜けでないようにした第１の抜け防止手段と、前記第１の長手状部材の他端を前記背もたれ部の裏面側に固定又は、前記第１の長手状部材の他端にストッパーを設けて、前記第１の長手状部材の他端が前記第４の貫通孔から抜けでないようにした第２の抜け防止手段と、前記第２の貫通孔と前記第３の貫通孔を通って、一方の端部が前記ベッド本体の裏面側に、他方の端部が前記背もたれ部の裏面側に、それぞれ位置する第２の長手状部材と、この第２の長手状部材の一端を前記ベッド本体の裏面側に固定又は、前記第２の長手状部材の一端にストッパーを設けて、前記第２の長手状部材の一端が前記第２の貫通孔から抜けでないようにした第３の抜け防止手段と、前記第２の長手状部材の他端を前記背もたれ部の裏面側に固定又は、前記第２の長手状部材の他端にストッパーを設けて、前記第２の長手状部材の他端が前記第３の貫通孔から抜けでないようにした第４の抜け防止手段とを設け、前記第１の長手状部材及び前記第２の長手状部材は前記ベッド本体と前記背もたれ部とのなす角度が広がらないように規制するものである。
【００１１】
また、請求項６記載の背もたれ付き簡易ベッドは、 人が横臥できる大きさの矩形形状であって、第１の貫通孔と第２の貫通孔とを有するベッド本体と、第３の貫通孔と第４の貫通孔とを有する略四角形状の背もたれ部と、前記ベッド本体と前記背もたれ部は、シート状部材で形成され、前記ベッド本体と前記背もたれ部とは、前記シート状部材の表面側を残して切断されて折り曲げ自在な部位を介して接続され、前記折り曲げ自在な部位は直線状に形成され、この直線状に形成された前記折り曲げ自在な部位に略平行な前記ベッド本体の端部はベッド本体端部であり、前記折り曲げ自在な部位に略平行な前記背もたれ部の端部は背もたれ端部であり、前記ベッド本体端部を前側にして前記ベッド本体に座って、前記背もたれ部に当接した人の左側に位置する前記ベッド本体の端部はベッド本体左端部であり、前記背もたれ部の端部は背もたれ左端部であり、前記人の右側に位置する前記ベッド本体の端部はベッド本体右端部であり、前記背もたれ部の端部は背もたれ右端部であり、前記第１の貫通孔は、前記ベッド本体右端部より前記ベッド本体左端部に近い側であって前記ベッド本体端部より前記折り曲げ自在な部位に近い側にあり、前記第２の貫通孔は、前記ベッド本体左端部より前記ベッド本体右端部に近い側であって前記ベッド本体端部より前記折り曲げ自在な部位に近い側にあり、前記第３の貫通孔は、前記背もたれ左端部より前記背もたれ右端部に近い側であって前記折り曲げ自在な部位より前記背もたれ端部に近い側にあり、前記第４の貫通孔は、前記背もたれ右端部より前記背もたれ左端部に近い側であって前記折り曲げ自在な部位より前記背もたれ端部に近い側にあり、前記第１の貫通孔、前記第４の貫通孔、前記第３の貫通孔、前記第２の貫通孔を通って、一方の端部が前記第１の貫通孔より前記ベッド本体の裏面側に、他方の端部が前記第２の貫通孔より前記ベッド本体の裏面側に、それぞれ位置する長手状部材と、この長手状部材の一方の端部を前記ベッド本体の裏面側に固定又は、前記長手状部材の一方の端部にストッパーを設けて、前記長手状部材の一方の端部が前記第１の貫通孔から抜けでないようにした第１の抜け防止手段と、前記長手状部材の他方の端部を前記ベッド本体の裏面側に固定又は、前記長手状部材の他方の端部にストッパーを設けて、前記長手状部材の他方の端部が前記第２の貫通孔から抜けでないようにした第２の抜け防止手段と、前記長手状部材は前記ベッド本体と前記背もたれ部とのなす角度が広がらないように規制するものである。
【００１２】
また、請求項７記載の背もたれ付き簡易ベッドは、請求項４〜６のいずれかの背もたれ付き簡易ベッドにおいて、ベッド本体の一方の短辺の外側に位置し、前記ベッド本体の一方の短辺に沿うと共に、立設する第１の面と、前記ベッド本体の一方の長辺の外側に位置し、前記第１の面の一方の側から前記ベッド本体の一方の長辺に向かうと共に、立設する第２の面と、前記ベッド本体の他方の長辺の外側に位置し、前記第１の面の他方の側から前記ベッド本体の他方の長辺に向かうと共に、立設する第３の面とを有した覆い部材と、前記第２の面の下部には、前記ベッド本体に向かって折り曲げられた第２の面の折り曲げ部が、前記第３の面の下部には、前記ベッド本体に向かって折り曲げられた第３の面の折り曲げ部が、それぞれ形成され、前記ベッド本体の下に、前記第２の面の折り曲げ部と前記第３の面の折り曲げ部がそれぞれ位置しているものである。
【発明の効果】
【００１３】
請求項１記載の坐椅子によれば、座部と背もたれ部との接続部位を、接続部のための新たな部材を付加しないで、シート状部材の表面側を残して切断し、折り曲げ自在にできるというシート状部材の構造特性を利用して形成することができ、しかも、環状体は、坐椅子にかかる荷重の一部を負担することができ、構造的に強い坐椅子となり、また、構造的に強い分、背座部及びもたれ部の強度を低下させた安価なシート状部材を使用することもでき、更に、環状体を持ち手として手に持ったり、肩にかけて持ち運びの手段として利用することもできる。
【００１４】
また、請求項２記載の坐椅子によれば、座部と背もたれ部との接続部位を、接続部のための新たな部材を付加しないで、シート状部材の表面側を残して切断し、折り曲げ自在にできるというシート状部材の構造特性を利用して形成することができる。
【００１５】
また、請求項３記載の坐椅子によれば、座部と背もたれ部との接続部位を、接続部のための新たな部材を付加しないで、シート状部材の表面側を残して切断されて折り曲げ自在にできるというシート状部材の構造特性を利用して形成することができ、しかも、長手状部材は、背もたれ部にかかる荷重の一部を分担するため、構造的に強い坐椅子となり、また、構造的に強い分、背もたれ部の強度を低下させた安価なシート状部材を使用することもでき、更に、長手状部材を持ち手として手に持ったり、肩にかけて持ち運びの手段として利用することもできる。
【００１６】
また、請求項４記載の背もたれ付き簡易ベッドによれば、ベッド本体と背もたれ部との接続部位を、接続部のための新たな部材を付加しないで、シート状部材の表面側を残して切断し、折り曲げ自在にできるというシート状部材の構造特性を利用して形成することができ、しかも、環状体は、背もたれ付き簡易ベッドにかかる荷重の一部を負担することができ、構造的に強い背もたれ付き簡易ベッドとなり、また、構造的に強い分、ベッド本体及び背もたれ部の強度を低下させた安価なシート状部材を使用することもでき、更に、背もたれ付き簡易ベッドであるため、横臥できる他に背中を背もたれ部に当接させてリラックスすることもできる。
【００１７】
また、請求項５記載の背もたれ付き簡易ベッドによれば、ベッド本体と背もたれ部との接続部位を、接続部のための新たな部材を付加しないで、シート状部材の表面側を残して切断し、折り曲げ自在にできるというシート状部材の構造特性を利用して形成することができ、しかも、背もたれ付き簡易ベッドであるため、横臥できる他に背中を背もたれ部に当接させてリラックスすることもできる。
【００１８】
また、請求項６記載の背もたれ付き簡易ベッドによれば、ベッド本体と背もたれ部との接続部位を、接続部のための新たな部材を付加しないで、シート状部材の表面側を残して切断されて折り曲げ自在にできるというシート状部材の構造特性を利用して形成することができ、しかも、長手状部材は、背もたれ部にかかる荷重の一部を分担するため、構造的に強い背もたれ付き簡易ベッドとなり、また、構造的に強い分、背もたれ部の強度を低下させた安価なシート状部材を使用することもでき、更に、背もたれ付き簡易ベッドであるため、横臥できる他に背中を背もたれ部に当接させてリラックスすることもできる。
【００１９】
また、請求項７記載の背もたれ付き簡易ベッドによれば、上述した請求項４〜６記載の発明の効果に加え、災害時、体育館等で背もたれ付き簡易ベッドを並設して横臥して使用する場合、覆い部材により、隣の横臥している人とのプライバシーを保つことができ、しかも、第２の面の下部には、ベッド本体に向かって折り曲げられた第２の面の折り曲げ部が、第３の面の下部には、ベッド本体に向かって折り曲げられた第３の面の折り曲げ部が、それぞれ形成され、ベッド本体の下に、第２の面の折り曲げ部と第３の面の折り曲げ部がそれぞれ位置するという簡易な手段により、横臥している人の荷重により覆い部材の立設状態を保持することができる。
【図面の簡単な説明】
【００２０】
【図１】図１は、本発明の一実施例の坐椅子の概略的斜視図である。
【図２】図２は、図１の坐椅子の概略的断面図である。
【図３】図３は、図２の一部を拡大して示す概略的一部拡大断面図である。
【図４】図４は、図１の坐椅子の収納過程を示す概略的斜視図である。
【図５】図５は、図１の坐椅子の携帯状態を示す概略的正面図である。
【図６】図６は、図１の坐椅子と異なる他の実施例の坐椅子の概略的斜視図である。
【図７】図７は、図６の７−７線による概略的断面図である。
【図８】図８は、図６の坐椅子と異なる他の実施例の坐椅子の概略的斜視図である。
【図９】図９は、図８の９−９線による概略的断面図である。
【図１０】図１０は、本発明の一実施例の背もたれ付き簡易ベッドの一使用例の概略的斜視図である。
【図１１】図１１は、図１０に示された一の背もたれ付き簡易ベッドの概略的斜視図である。
【図１２】図１２は、図１１の１２−１２線による概略的断面図である。
【図１３】図１３は、図１１の背もたれ付き簡易ベッドを分解して示す概略的分解斜視図である。
【図１４】図１４は、図１３のベッド本体の収納状態を示す概略的断面図である。
【図１５】図１５は、図１４の折曲したベッド本体を広げる過程を示す概略的断面図である。
【図１６】図１６は、図１５の背もたれ部を立設状態を示す概略的断面図である。
【図１７】図１７は、図１６のベッド本体と背もたれ部との接続部位を拡大して示す概略的一部拡大断面図である。
【図１８】図１８は、図１６のベッド本体の一部を拡大して示す概略的一部拡大断面図である。
【図１９】図１９は、図１３の覆い部材の収納状態を示す概略的断面図である。
【図２０】図２０は、図１９の折曲した覆い部材を広げる過程を示す概略的斜視図である。
【図２１】図２１は、図２０の覆い部材を広げた状態を示す概略的斜視図である。
【図２２】図２２は、図１１の背もたれ付き簡易ベッドの一使用形態を示す概略的斜視図である。
【図２３】図２３は、図１３の覆い部材と異なる他の実施例の覆い部材を備えた背もたれ付き簡易ベッドの概略的斜視図である。
【図２４】図２４は、図１１の背もたれ付き簡易ベッドと異なる他の実施例の背もたれ付き簡易ベッドの概略的斜視図である。
【図２５】図２５は、図２４の２５−２５線による概略的断面図である。
【図２６】図２６は、図２４の背もたれ付き簡易ベッドと異なる他の実施例の背もたれ付き簡易ベッドの概略的斜視図である。
【図２７】図２７は、図２６の２７−２７線による概略的断面図である。
【発明を実施するための形態】
【００２１】
本発明の一実施例の坐椅子及び背もたれ付き簡易ベッドを図面を参照して説明する。
（実施例１）
図１乃至図５に示すＺは坐椅子で、坐椅子Ｚは、略四角形状の座部１と略四角形状の背もたれ部２とから、概略的に構成されている。
座部１は、第１の貫通孔１ａと第２の貫通孔１ｂとを有する。また、背もたれ部２は、第３の貫通孔２ａと第４の貫通孔２ｂとを有する。
そして、座部１と背もたれ部２は、シート状部材（例えば、段ボール、紙製ボード、プラスチック段ボール等）で形成され、座部１と背もたれ部２とは、シート状部材の表面側を残して切断されて折り曲げ自在な部位１００を介して接続され、具体的には、段ボールの表面側のライナーＬを残して切断されて折り曲げ自在な部位１００を介して接続されている（図３参照）。
折り曲げ自在な部位１００は直線状に形成され（図１参照）、この直線状に形成された折り曲げ自在な部位１００に略平行な座部１の端部は座端部１０１であり、折り曲げ自在な部位１００に略平行な背もたれ部２の端部は背もたれ端部１０２である。
座端部１０１を前側にして座部１に座って、背もたれ部２に当接した人（図２参照）の左側に位置する座部１の端部は座左端部１０３であり、背もたれ部２の端部は背もたれ左端部１０４であり、前記人の右側に位置する座部１の端部は座右端部１０５であり、背もたれ部２の端部は背もたれ右端部１０６である。
そして、第１の貫通孔１ａは、座右端部１０５より座左端部１０３に近い側であって折り曲げ自在な部位１００より座端部１０１に近い側にある。
また、第２の貫通孔１ｂは、座左端部１０３より座右端部１０５に近い側であって折り曲げ自在な部位１００より座端部１０１に近い側にある。
また、第４の貫通孔２ｂは、背もたれ右端部１０６より背もたれ左端部１０４に近い側であって折り曲げ自在な部位１００より背もたれ端部１０２に近い側にある。
また、第３の貫通孔２ａは、背もたれ左端部１０４より背もたれ右端部１０６に近い側であって折り曲げ自在な部位１００より背もたれ端部１０２に近い側にある。
また、３は環状体で、環状体３は、幅より長手方向に長い長手状部材が第１の貫通孔１ａ、第２の貫通孔１ｂ、第３の貫通孔２ａ、第４の貫通孔２ｂを通ると共に、第１の貫通孔１ａと第２の貫通孔１ｂの間に位置する前記長手状部材は座部１の裏面側に、第３の貫通孔２ａと第４の貫通孔２ｂの間に位置する前記長手状部材は背もたれ部２の裏面側に、それぞれ位置するように環状に形成されている（図１参照）。
環状体３は、例えば、長手状部材の端部側を結束（長手状部材の端部側の結束に代え、長手状部材の端部側同士を接着、融着するようにしても良い。）することにより構成したもので、該結束した部位３Ａは、背中が当接する背もたれ部２の裏面側に位置している。
環状体３は、座部１と背もたれ部２に人の荷重が加わった場合、座部１と背もたれ部２とのなす角度が広がらないように規制するものである
なお、Ｈは、第１の貫通孔１ａ、第２の貫通孔１ｂ、第３の貫通孔２ａ、第４の貫通孔２ｂの各孔をそれぞれ補強するための補強部材である。
【００２２】
従って、上述の坐椅子Ｚによれば、座部１と背もたれ部２との接続部位を、接続部のための新たな部材を付加しないで、シート状部材の表面側を残して切断し、折り曲げ自在にできるというシート状部材の構造特性を利用して形成することができ、しかも、環状体３は、坐椅子Ｚにかかる荷重の一部を負担することができ、構造的に強い坐椅子Ｚとなり、また、構造的に強い分、背座部１及びもたれ部２の強度を低下させた安価なシート状部材を使用することもでき、更に、環状体３を持ち手として手に持ったり、肩にかけて持ち運びの手段として利用することもできる（図４及び図５参照）。
【００２３】
（実施例２）
上述した実施例の坐椅子Ｚの座部１と背もたれ部２とのなす角度の規制は、環状体３によったが、本願発明は、これに限らず、図６及び図７に示すような幅より長手方向に長い第１の長手状部材４及び第２の長手状部材５でも良い。なお、第１の貫通孔１ａ、第２の貫通孔１ｂ、第３の貫通孔２ａ及び第４の貫通孔２ｂは、実施例１と同様であるので、その説明を省略する。
即ち、第１の長手状部材４（例えば、紐状部材）は、第１の貫通孔１ａと第４の貫通孔２ｂを通って、一方の端部４Ａが座部１の裏面側に、他方の端部４Ｂが背もたれ部２の裏面側に、それぞれ位置する。
そして、第１の長手状部材４の一端４Ａは、第１の抜け防止手段により第１の長手状部材４の一端４Ａが第１の貫通孔１ａから抜けでないようになっている。第１の抜け防止手段は、第１の長手状部材４の一端４Ａを座部１の裏面側に接着又は溶着により固定又は、第１の長手状部材４の一端４Ａにストッパー（ストッパーは、例えば、第１の貫通孔１ａから抜けでないように、第１の長手状部材４の一端４Ａにコブを作る結び方の止め結びである。）を設けたものである。
第１の長手状部材４の他端４Ｂは、第２の抜け防止手段により第１の長手状部材４の他端４Ｂが第４の貫通孔２ｂから抜けでないようになっている。第２の抜け防止手段は、第１の抜け防止手段と同様に、第１の長手状部材４の他端４Ｂを背もたれ部２の裏面側に接着又は溶着により固定又は、第１の長手状部材４の他端４Ｂにストッパー（ストッパーは、例えば、第４の貫通孔２ｂから抜けでないように、第１の長手状部材４の他端４Ｂにコブを作る結び方の止め結びである。）を設けたものである。
また、第２の長手状部材５（例えば、紐状部材）は、第２の貫通孔１ｂと第３の貫通孔２ａを通って、一方の端部５Ａが座部１の裏面側に、他方の端部５Ｂが背もたれ部２の裏面側に、それぞれ位置する。
そして、第２の長手状部材５の一端５Ａは、第３の抜け防止手段により第２の長手状部材５の一端５Ａが第２の貫通孔１ｂから抜けでないようになっている。第３の抜け防止手段は、第２の長手状部材５の一端５Ａを座部１の裏面側に接着又は溶着により固定又は、第２の長手状部材５の一端５Ａにストッパー（ストッパーは、例えば、第２の貫通孔１ｂから抜けでないように、第２の長手状部材５の一端５Ａにコブを作る結び方の止め結びである。）を設けたものである。
第２の長手状部材５の他端５Ｂは、第４の抜け防止手段により 第２の長手状部材５の他端５Ｂが第３の貫通孔２ａから抜けでないようになっている。第４の抜け防止手段は、第３の抜け防止手段と同様に、第２の長手状部材５の他端５Ｂを背もたれ部２の裏面側に接着又は溶着により固定又は、第２の長手状部材５の他端５Ｂにストッパー（ストッパーは、例えば、第３の貫通孔２ａから抜けでないように、第２の長手状部材５の他端５Ｂにコブを作る結び方の止め結びである。）を設けたものである。
第１の長手状部材４及び第２の長手状部材５は、座部１と背もたれ部２に人の荷重が加わった場合、座部１と背もたれ部２とのなす角度が広がらないように規制するものである。
【００２４】
従って、この実施例の坐椅子Ｚも、上述の実施例と同様に、座部１と背もたれ部２との接続部位を、接続部のための新たな部材を付加しないで、シート状部材の表面側を残して切断し、折り曲げ自在にできるというシート状部材の構造特性を利用して形成することができ、しかも、第１の長手状部材４又は第２の長手状部材５を持ち手として坐椅子Ｚを移動することもできる。
【００２５】
（実施例３）
上述した実施例の坐椅子Ｚの座部１と背もたれ部２とのなす角度の規制は、第１の長手状部材４及び第２の長手状部材５によったが、本願発明は、これに限らず、図８及び図９に示すような幅より長手方向に長い長手状部材５’でも良い。なお、第１の貫通孔１ａ、第２の貫通孔１ｂ、第３の貫通孔２ａ及び第４の貫通孔２ｂは、実施例１及び実施例２と同様であるので、その説明を省略する。
即ち、長手状部材５’（例えば、紐状部材）は、第１の貫通孔１ａ、第４の貫通孔２ｂ、第３の貫通孔２ａ、第２の貫通孔１ｂを通って、一方の端部５’Ａが第１の貫通孔１ａより座部１の裏面側に、他方の端部５’Ｂが第２の貫通孔１ｂより座部１の裏面側に、それぞれ位置する
そして、長手状部材５’の一方の端部５’Ａは第１の抜け防止手段により長手状部材５’の一方の端部５’Ａを座部１の裏面側に接着又は溶着により固定又は、長手状部材５’の一方の端部５’Ａにストッパー（ストッパーは、例えば、第１の貫通孔１ａから抜けでないように、長手状部材５’の一方の端部５’Ａにコブを作る結び方の止め結びである。）を設けたものである。
長手状部材５’の他方の端部５’Ｂは、第２の抜け防止手段により長手状部材５’の他方の端部５’Ｂを座部１の裏面側に接着又は溶着により固定又は、長手状部材５’の他方の端部５’Ｂにストッパー（ストッパーは、例えば、第２の貫通孔１ｂから抜けでないように、長手状部材５’の他方の端部５’Ｂにコブを作る結び方の止め結びである。）を設けたものである。
長手状部材５’は座部１と背もたれ部２とのなす角度が広がらないように規制するものである。
【００２６】
従って、この実施例の坐椅子Ｚも、上述の実施例と同様に、座部１と背もたれ部２との接続部位を、接続部のための新たな部材を付加しないで、シート状部材の表面側を残して切断されて折り曲げ自在にできるというシート状部材の構造特性を利用して形成することができ、しかも、長手状部材５’は、背もたれ部２にかかる荷重の一部を分担するため、構造的に強い坐椅子Ｚとなり、また、構造的に強い分、背もたれ部２の強度を低下させた安価なシート状部材を使用することもでき、更に、長手状部材５’を持ち手として手に持ったり、肩にかけて持ち運びの手段として利用することもできる。
【００２７】
（実施例４）
上述した実施例は坐椅子Ｚであるが、本願発明は、これに限らず、図１０〜図２２に示すような背もたれ付き簡易ベッドにも同様に適用することができる。
即ち、図１０に示すＢは背もたれ付き簡易ベッドで、背もたれ付き簡易ベッドＢは、例えば、災害時、体育館等で並設使用に好適な背もたれ付き簡易ベッドである
背もたれ付き簡易ベッドＢは、図１１〜図１３に示すように、人が横臥できる大きさの矩形形状のベッド本体１０と、覆い部材７とから、概略的に構成されている。
【００２８】
ベッド本体１０は、上述したように、人が横臥できる大きさの矩形形状であって、第１の貫通孔１０ａと第２の貫通孔１０ｂとを有する。ベッド本体１０は、背もたれ部２０に接続されている。背もたれ部２０は、 略四角形状で、第３の貫通孔２０ａと第４の貫通孔２０ｂとを有する。
上記のベッド本体１０と背もたれ部２０は、シート状部材（例えば、段ボール、紙製ボード、プラスチック段ボール等）で形成され、ベッド本体１０と背もたれ部２０とは、シート状部材の表面側を残して切断されて折り曲げ自在な部位１００’を介して接続され、具体的には、段ボールの表面側のライナーＬを残して切断されて折り曲げ自在な部位１００’を介して接続されている（図１７参照）。
折り曲げ自在な部位１００’は直線状に形成され（図１３参照）、この直線状に形成された折り曲げ自在な部位１００’に略平行なベッド本体１０の端部はベッド本体端部１０１’であり、折り曲げ自在な部位１００’に略平行な背もたれ部２０の端部は背もたれ端部１０２’である。
ベッド本体端部１０１’を前側にしてベッド本体１０に座って、背もたれ部２０に当接した人の左側に位置するベッド本体１０の端部はベッド本体左端部１０３’であり、背もたれ部２０の端部は背もたれ左端部１０４’であり、人の右側に位置するベッド本体１０の端部はベッド本体右端部１０５’であり、背もたれ部２０の端部は背もたれ右端部１０６’である。
そして、第１の貫通孔１０ａは、ベッド本体右端部１０５’よりベッド本体左端部１０３’に近い側であってベッド本体端部１０１’より折り曲げ自在な部位１００’に近い側にある。
また、第２の貫通孔１０ｂは、ベッド本体左端部１０３’よりベッド本体右端部１０５’に近い側であってベッド本体端部１０１’より折り曲げ自在な部位１００’に近い側にある。
また、第３の貫通孔２０ａは、背もたれ左端部１０４’より背もたれ右端部１０６’に近い側であって折り曲げ自在な部位１００’より背もたれ端部１０２’に近い側にある。
また、第４の貫通孔２０ｂは、背もたれ右端部１０６’より背もたれ左端部１０４’に近い側であって折り曲げ自在な部位１００’より背もたれ端部１０２’に近い側にある。
また、３０は環状体で、環状体３０は 幅より長手方向に長い長手状部材が第１の貫通孔１０ａ、第２の貫通孔１０ｂ、第３の貫通孔２０ａ、第４の貫通孔２０ｂを通ると共に、第１の貫通孔１０ａと第２の貫通孔１０ｂの間に位置する前記長手状部材はベッド本体１０の裏面側に、第３の貫通孔２０ａと第４の貫通孔２０ｂの間に位置する前記長手状部材は背もたれ部２０の裏面側に、それぞれ位置するように環状に形成されている（図１３参照）。
環状体３０は、例えば、長手状部材の端部側を結束（長手状部材の端部側の結束に代え、長手状部材の端部側同士を接着、融着するようにしても良い。）することにより構成したもので、該結束した部位３０Ａ（図１１及び図１３参照）は、背中が当接する背もたれ部２０の裏面側に位置している。
環状体３０は、ベッド本体１０と背もたれ部２０に人の荷重が加わった場合、ベッド本体１０と背もたれ部２０とのなす角度が広がらないように規制するものである
なお、Ｈは、第１の貫通孔１０ａ、第２の貫通孔１０ｂ、第３の貫通孔２０ａ、第４の貫通孔２０ｂの各孔をそれぞれ補強するための補強部材である。
【００２９】
また、７は覆い部材で、覆い部材７は、図１１に示すように、ベッド本体１０の一方の短辺の外側に位置し、ベッド本体１０の一方の短辺に沿うと共に、立設する第１の面７Ａと、ベッド本体１０の一方の長辺の外側に位置し、第１の面７Ａの一方の側からベッド本体１０の一方の長辺に向かうと共に、立設する第２の面７Ｂと、ベッド本体１０の他方の長辺の外側に位置し、第１の面７Ａの他方の側からシート状部材１０の他方の長辺に向かうと共に、立設する第３の面７Ｃとを有している。
この覆い部材７により、災害時、体育館等で背もたれ付き簡易ベッドＢを並設して横臥して使用する場合、隣の横臥している人とのプライバシーを保つことができる（図１０参照）。
そして、第２の面７Ｂの下部には、図１１、図１２及び図２１に示すように、ベッド本体１０に向かって折り曲げられた第２の面７Ｂの折り曲げ部７Ｂ１が、第３の面７Ｃの下部には、ベッド本体１０に向かって折り曲げられた第３の面７Ｃの折り曲げ部７Ｃ１が、それぞれ形成されている。
また、ベッド本体１０の下に、第２の面７Ｂの折り曲げ部７Ｂ１と第３の面７Ｃの折り曲げ部７Ｃ１がそれぞれ位置している。
【００３０】
従って、上述した背もたれ付き簡易ベッドＢによれば、災害時、体育館等で背もたれ付き簡易ベッドＢを並設して横臥して使用する場合（図１０参照）、覆い部材７により、隣の横臥している人とのプライバシーを保つことができ、しかも、第２の面７Ｂの下部には、ベッド本体１０に向かって折り曲げられた第２の面７Ｂの折り曲げ部７Ｂ１が、第３の面７Ｃの下部には、シート状部材１０に向かって折り曲げられた第３の面７Ｃの折り曲げ部７Ｃ１が、それぞれ形成され、ベッド本体１０の下に、第２の面７Ｂの折り曲げ部７Ｂ１と第３の面７Ｃの折り曲げ部７Ｃ１がそれぞれ位置するという簡易な手段により、横臥している人の荷重により覆い部材７の立設状態を保持することができる。
また、背もたれ付き簡易ベッドＢには、背もたれ部２０が設けられているため、ベッド本体１０に横臥できる他に背中を背もたれ部２０に当接させてリラックスすることでき（例えば、図２２に示すように、覆い部材７にカバーＣをかけて、周囲の目を気にしないで授乳させることもできる。）、しかも、ベッド本体１０と背もたれ部２０との接続部位を、接続部のための新たな部材を付加しないで、シート状部材の表面側を残して切断し、折り曲げ自在にできるというシート状部材の構造特性を利用して形成することができ、しかも、環状体３０は、背もたれ付き簡易ベッドＢにかかる荷重の一部を負担することができ、構造的に強い背もたれ付き簡易ベッドＢとなり、また、構造的に強い分、ベッド本体１０及び背もたれ部２０の強度を低下させた安価なシート状部材を使用することもでき、更に、背もたれ付き簡易ベッドＢであるため、横臥できる他に背中を背もたれ部２０に当接させてリラックスすることもできる。
そして、背もたれ付き簡易ベッドＢの不使用時にあっては、ベッド本体１０と背もたれ部２０との接続部位、ベッド本体１０の折曲部１０Ａ（図１４、図１５、図１６及び図１８）を介して折り曲げ（図１４参照）、覆い部材７は、折曲部を介して折り曲げ、第１の面７Ａ、第２の面７Ｂ、第３の面７Ｃを積層状態（図１９参照）にして嵩張らないようにしている。
なお、上述した実施例においては、覆い部材７を第１の面７Ａと第２の面７Ｂ、第１の面７Ａと第３の面７Ｃとをそれぞれ貼り合わせて形成したが、本願発明は、これに限らず、図２３に示すように、一枚の段ボールを折曲して覆い部材７を形成しても良い。
【００３１】
（実施例５）
上述した実施例の背もたれ付き簡易ベッドＢのシート状部材１０と背もたれ部２０とのなす角度の規制は、環状体３０によったが、本願発明は、これに限らず、図２４及び図２５に示すような第１の長手状部材４０及び第２の長手状部材５０でも良い。なお、ベッド本体１０、背もたれ部２０、第１の貫通孔１０ａ、第２の貫通孔１０ｂ、第３の貫通孔２０ａ及び第４の貫通孔２０ｂは、実施例４と同様であるので、その説明を省略する。
即ち、第１の長手状部材４０（例えば、紐状部材）は、第１の貫通孔１０ａと第４の貫通孔２０ｂを通って、一方の端部４０Ａがベッド本体１０の裏面側に、他方の端部４０Ｂが背もたれ部２０の裏面側に、それぞれ位置する。
そして、第１の長手状部材４０の一方の端部４０Ａは、第１の抜け防止手段により第１の長手状部材４０の一方の端部４０Ａが第１の貫通孔１０ａから抜けでないようになっている。第１の抜け防止手段は、第１の長手状部材４０の一方の端部４０Ａをベッド本体１０の裏面側に固定（接着又は溶着）又は、第１の長手状部材４０の一方の端部４０Ａにストッパー（ストッパーは、例えば、第１の貫通孔１０ａから抜けでないように、第１の長手状部材４０の一方の端部４０Ａにコブを作る結び方の止め結びである。）を設けたものである。
第１の長手状部材４の他方の端部４０Ｂは、第２の抜け防止手段により第１の長手状部材４０の他方の端部４０Ｂが第４の貫通孔２０ｂから抜けでないようになっている。第２の抜け防止手段は、第１の抜け防止手段と同様に、第１の長手状部材４０の他方の端部４０Ｂを背もたれ部２０の裏面側に固定（接着又は溶着）又は、第１の長手状部材４０の他方の端部４０Ｂにストッパー（ストッパーは、例えば、第４の貫通孔２０ｂから抜けでないように、第１の長手状部材４０の他方の端部４０Ｂにコブを作る結び方の止め結びである。）を設けたものである。
また、第２の長手状部材５０（例えば、紐状部材）は、第２の貫通孔１０ｂと第３の貫通孔２０ａを通って、一方の端部５０Ｂがベッド本体１０の裏面側に、他方の端部５０Ａが背もたれ部２０の裏面側に、それぞれ位置する。
そして、第２の長手状部材５０の一方の端部５０Ｂは、第３の抜け防止手段により第２の長手状部材５０の一方の端部５０Ｂが第２の貫通孔１０ｂから抜けでないようになっている。第３の抜け防止手段は、第２の長手状部材５０の一方の端部５０Ｂをベッド本体１０の裏面側に固定（接着又は溶着）又は、第２の長手状部材５０の一方の端部５０Ｂにストッパー（ストッパーは、例えば、第２の貫通孔１０ｂから抜けでないように、第２の長手状部材５０の一方の端部５０Ｂにコブを作る結び方の止め結びである。）を設けたものである。
第２の長手状部材５０の他方の端部５０Ａは、第４の抜け防止手段により 第２の長手状部材５０の他方の端部５０Ａが第３の貫通孔２０ａから抜けでないようになっている。第４の抜け防止手段は、第３の抜け防止手段と同様に、第２の長手状部材５０の他方の端部５０Ａを背もたれ部２０の裏面側に固定（接着又は溶着）又は、第２の長手状部材５０の他方の端部５０Ａにストッパー（ストッパーは、例えば、第３の貫通孔２０ａから抜けでないように、第２の長手状部材５０の他方の端部５０Ａにコブを作る結び方の止め結びである。）を設けたものである。
第１の長手状部材４０及び第２の長手状部材５０は、ベッド本体１０と背もたれ部２に人の荷重が加わった場合、ベッド本体１０と背もたれ部２０とのなす角度が広がらないように規制するものである。
【００３２】
従って、この実施例の背もたれ付き簡易ベッドＢも、上述の実施例と同様に、災害時、体育館等で背もたれ付き簡易ベッドＢを並設して横臥して使用する場合、覆い部材７により、隣の横臥している人とのプライバシーを保つことができ、しかも、第２の面７Ｂの下部には、ベッド本体１０に向かって折り曲げられた第２の面７Ｂの折り曲げ部７Ｂ１が、第３の面７Ｃの下部には、ベッド本体１０に向かって折り曲げられた第３の面７Ｃの折り曲げ部７Ｃ１が、それぞれ形成され、ベッド本体１０の下に、第２の面７Ｂの折り曲げ部７Ｂ１と第３の面７Ｃの折り曲げ部７Ｃ１がそれぞれ位置するという簡易な手段により、横臥している人の荷重により覆い部材７の立設状態を保持することができるようになっている。
また、背もたれ付き簡易ベッドＢには、背もたれ部２０が設けられているため、ベッド本体１０に横臥できる他に背中を背もたれ部２０に当接させてリラックスすることでき、しかも、ベッド本体１０と背もたれ部２０との接続部位を、接続部のための新たな部材を付加しないで、シート状部材の表面側を残して切断し、折り曲げ自在にできるというシート状部材の構造特性を利用して形成することができ、しかも、背もたれ付き簡易ベッドＢであるため、横臥できる他に背中を背もたれ部に当接させてリラックスすることもできる。
【００３３】
（実施例６）
上述した実施例の背もたれ付き簡易ベッドＢのシート状部材１０と背もたれ部２０とのなす角度の規制は、第１の長手状部材４０及び第２の長手状部材５０によったが、本願発明は、これに限らず、図２６及び図２７に示すような幅より長手方向に長い長手状部材５０’でも良い。なお、ベッド本体１０、背もたれ部２０、第１の貫通孔１０ａ、第２の貫通孔１０ｂ、第３の貫通孔２０ａ及び第４の貫通孔２０ｂは、実施例４及び実施例５と同様であるので、その説明を省略する。
即ち、長手状部材５０’（例えば、紐状部材）は、第１の貫通孔１０ａ、第４の貫通孔２０ｂ、第３の貫通孔２０ａ、第２の貫通孔１０ｂを通って、一方の端部５０’Ａが第１の貫通孔１０ａよりベッド本体１０の裏面側に、他方の端部５０’Ｂが第２の貫通孔１０ｂよりベッド本体１０の裏面側に、それぞれ位置する
そして、長手状部材５０’の一方の端部５０’Ａは第１の抜け防止手段により長手状部材５０’の一方の端部５０’Ａをベッド本体１０の裏面側に固定（接着又は溶着）又は、長手状部材５０’の一方の端部５０’Ａにストッパー（ストッパーは、例えば、第１の貫通孔１０ａから抜けでないように、長手状部材５０’の一方の端部５０’Ａにコブを作る結び方の止め結びである。）を設けたものである。
長手状部材５０’の他方の端部５０’Ｂは、第２の抜け防止手段により長手状部材５０’の他方の端部５０’Ｂをベッド本体１０の裏面側に固定（接着又は溶着）又は、長手状部材５０’の他方の端部５０’Ｂにストッパー（ストッパーは、例えば、第２の貫通孔１０ｂから抜けでないように、長手状部材５０’の他方の端部５０’Ｂにコブを作る結び方の止め結びである。）を設けたものである。
長手状部材５０’はベッド本体１０と背もたれ部２０とのなす角度が広がらないように規制するものである。
【００３４】
従って、この実施例の背もたれ付き簡易ベッドＢによれば、ベッド本体１０と背もたれ部２０との接続部位１００’を、接続部のための新たな部材を付加しないで、シート状部材の表面側を残して切断されて折り曲げ自在にできるというシート状部材の構造特性を利用して形成することができ、しかも、長手状部材５０’は、背もたれ部２０にかかる荷重の一部を分担するため、構造的に強い背もたれ付き簡易ベッドＢとなり、また、構造的に強い分、背もたれ部２０の強度を低下させた安価なシート状部材を使用することもでき、更に、背もたれ付き簡易ベッドＢであるため、横臥できる他に背中を背もたれ部に当接させてリラックスすることもできる。
【符号の説明】
【００３５】
Ｚ      坐椅子
１      座部
１ａ    第１の貫通孔
１ｂ    第２の貫通孔
２      背もたれ部
２ａ    第３の貫通孔
２ｂ    第４の貫通孔
３      環状体
１００  折り曲げ自在な部位
【図１】
2011005154.tif 000003
【図２】
2011005154.tif 000004
【図３】
2011005154.tif 000005
【図４】
2011005154.tif 000006
【図５】
2011005154.tif 000007
【図６】
2011005154.tif 000008
【図７】
2011005154.tif 000009
【図８】
2011005154.tif 000010
【図９】
2011005154.tif 000011
【図１０】
2011005154.tif 000012
【図１１】
2011005154.tif 000013
【図１２】
2011005154.tif 000014
【図１３】
2011005154.tif 000015
【図１４】
2011005154.tif 000016
【図１５】
2011005154.tif 000017
【図１６】
2011005154.tif 000018
【図１７】
2011005154.tif 000019
【図１８】
2011005154.tif 000020
【図１９】
2011005154.tif 000021
【図２０】
2011005154.tif 000022
【図２１】
2011005154.tif 000023
【図２２】
2011005154.tif 000024
【図２３】
2011005154.tif 000025
【図２４】
2011005154.tif 000026
【図２５】
2011005154.tif 000027
【図２６】
2011005154.tif 000028
【図２７】
2011005154.tif 000029